(57)【要約】【課題】  表示画面において表示機能以外の機能を提供する。【解決手段】  情報表示可能な電子装置１００であって、それぞれの素子が発光し、光を検出することのできる素子アレイを含む表示画面１０２と、電子装置１００の機能を実施するために、電子装置１００に、前記素子アレイのうちの第１の複数の素子を作動させて発光させ、前記素子アレイのうちの第２の複数の素子を作動させて、光を検出することができる電子的に実行可能な命令とを含んでなる電子装置１００を提供する。【選択図】        図１
2004361960.tif 000002
【特許請求の範囲】
【請求項１】
情報表示可能な電子装置であって、
それぞれの素子が発光し、光を検出することのできる素子アレイを含む表示画面と、
該電子装置のある機能を実現するために、該電子装置が、前記素子アレイのうちの第１の複数の素子を作動させて発光させ、前記素子アレイのうちの第２の複数の素子を作動させて光を検出できるようにする電子的に実行可能な命令と
を含んでなる電子装置。
【請求項２】
前記素子アレイがダイオード・アレイを含む請求項１に記載の電子装置。
【請求項３】
前記素子アレイの特定の素子が、ある時点において前記第１の複数の素子の一部であり、別の時点において前記第２の複数の素子の一部である請求項１に記載の電子装置。
【請求項４】
前記電子装置により実現される機能が、前記素子アレイを介してのスキャニングと、前記素子アレイを介してのタッチ感知と、前記素子アレイを介しての環境光決定・補償とを含むグループから選択されるものである請求項１に記載の電子装置。
【請求項５】
発光／光検出素子を有する表示画面を用いてある機能を実現する方法であって、
素子アレイのうちの第１の複数の素子を作動させて、発光させるステップと、
該素子アレイのうちの第２の複数の素子を作動させて、光を検出するステップと、
該第２の複数の素子により検出された光を表わす検出された光データを生成するステップと、
該検出された光データを処理して、前記機能を実現するよう処理するステップと
を含んでなる方法。
【請求項６】
前記素子アレイのうちの前記第２の複数の素子を作動させて、発光させるステップと、
前記素子アレイのうちの第１の複数の素子を作動させて、光を検出するステップと、
前記第１の複数の素子により検出された光を表わす追加の検出された光データを生成するステップと
をさらに含み、
前記処理するステップが、前記検出された光データと前記追加の検出された光データとを処理して、スキャニング機能を実施することを含む請求項５に記載の方法。
【請求項７】
前記素子アレイのうちの第３の複数の素子を作動させて、発光させるステップと、
前記素子アレイのうちの第４の複数の素子を作動させて、光を検出し、追加の検出された光データを生成するステップと
をさらに含み、
前記処理するステップが、前記検出された光データと前記追加の検出された光データとを処理して、前記表示画面用のタッチ・センシティブ機能を実施することを含む請求項５に記載の方法。
【請求項８】
前記処理するステップが、
前記検出された光データを、少なくとも１つの所定のしきい値と比較することと、
前記第１の複数の素子から発せられた光の輝度値を、該比較に応じて調整することと
を含む請求項５に記載の方法。
【請求項９】
それぞれの素子が発光し、光を検出することのできる素子アレイを含む表示画面と、
１つ以上のプロセッサと、
電子的に実行可能な命令を格納する１つ以上のメモリと
を含んでなり、
スキャニングと、タッチ・スクリーン感知と、環境光決定・補償とを含むグループから選択された少なくとも１つの機能を実施するために、前記１つ以上のプロセッサが前記格納された電子的に実行可能な命令を実行し、それによって、電子装置が、前記素子アレイのうちの素子の少なくとも一部を組織的に作動させて、少なくとも１つの素子状態設定を形成できるようにする情報表示可能な電子装置。
【請求項１０】
前記検出された光データを処理して、少なくとも１つの機能を実現することを含む操作を、命令実行時に実行するように電子装置に指示する電子的に実行可能な命令を含む１つ以上の電子的にアクセス可能な媒体であって、
画面の素子アレイのうちの第１の複数の素子を作動させて、発光させることと、
前記素子アレイのうちの第２の複数の素子を作動させて、光を検出することと、
前記第２の複数の素子により検出された光を表わす検出された光データを生成することと
を含んでなる媒体。
【発明の詳細な説明】
【技術分野】
【０００１】
本発明は、一般に、表示画面を持つ電子装置の分野に関し、特に、限定せずに例示として、発光ダイオードまたは光検出ダイオードを表示画面に用いて、スキャニングや、（シミュレートされる（simulated））タッチ感知、環境光決定・補償等の機能および特徴（feature）を可能にすることに関する。
【背景技術】
【０００２】
多くの電子装置は、ビジュアル情報を表示するための表示画面を有している。このような表示画面は、そのサイズが、例えば、腕時計またはカーラジオ程度のものから、デスクトップモニタまたは大型掲示板のものに及ぶこともある。表示画面は、陰極線管（ＣＲＴ）、プラズマ・ディスプレイ技術、標準発光ダイオード（ＬＥＤ）、液晶ディスプレイ（ＬＣＤ）技術、またはその他の従来からある手法を用いて製造されてきている。これらの従来の手法のそれぞれは、表示画面がビジュアル情報しか表示しないという点で制限的なものである。これらの表示画面は、関連する電子装置で処理される光刺激情報を得ることも、その光刺激情報（light stimulus information）に検知することさえもできない。
【発明の開示】
【発明が解決しようとする課題】
【０００３】
本発明は、上記の従来技術とは異なり、表示機能以外の機能を備える電子装置を提供する。
【課題を解決するための手段】
【０００４】
例示的な方法とシステムと装置とデバイスと媒体と配置構成とによって、発光と光検出が可能な（例えば、ディスプレイ等の）画面をもつ電子装置において、１以上の機能を実現できるようにする。これらの機能には、例えば、スキャニングや、（シミュレートされる）タッチ・スクリーン感知、環境光決定・補償がある。このような表示画面は、ビジュアル表示のために発光でき、光情報データを受け取るために光を検出できる（例えば、ダイオード等の）発光素子または光検出素子を含みうる。
【０００５】
ここに記述されている例示的な実施例では、発光素子と光検出素子を有する表示画面を用いて、或る機能を実現する方法は、素子アレイのうちの第１の複数の素子を作動させて、発光させるステップと、素子アレイのうちの第２の複数の素子を作動させて、光を検出するステップと、前述の第２の複数の素子により検出された光を表わす検出された光データを生成するステップと、前述の検出された光データを処理して、この機能を実現するステップとを含む。記述されている他の例示的な実施例では、情報を表示できる電子装置は、それぞれの素子が発光して光を検出することのできる素子アレイを含む表示画面と、この電子装置の機能を実現するために、この電子装置が、この素子アレイのうちの第１の複数の素子を作動させて発光させ、この素子アレイのうちの第２の複数の素子を作動させて光を検出できるようにする電子的に実行可能な命令とを含む。
【０００６】
記述されている例示的な環境光補償機能（ambient-light-compensation）の実施例では、電子装置は、発光および光検出が可能な表示画面を含み、この電子装置は、この表示画面の光検出機能を用いて光レベルを決定することと、この表示画面の発光機能により出力される光量を、その決定された光レベルに応じて調整することとを含む処置を行うよう構成されている。
【０００７】
記述されている例示的なスキャニング機能の実施例では、電子装置は、発光および光検出が可能な表示画面を含み、この電子装置は、この表示画面の発光機能を用いてスキャニング・ターゲットに照射することと、この表示画面の光検出機能を用いて、このスキャニング・ターゲットの少なくとも一部を表わす光検出データを収集することと、この光検出データを処理して、このスキャニング・ターゲットの少なくとも一部の画像を生成することとを含む処置を行うよう構成されている。
【０００８】
記述されている例示的な（シミュレートされた）タッチ・センシティブ機能の実施例では、電子装置は、発光および光検出が可能な表示画面を含み、この電子装置は、この表示画面の光検出機能および発光機能を用いて、この表示画面上に複数のアクチュエータ（actuator）を設けることと、この表示画面の光検出機能を用いて、この少なくとも１つのアクチュエータにおいて検出される光の減少に応じて、複数のアクチュエータのうちの少なくとも１つのアクチュエータを作動させることとを含むステップを行うよう構成されている。
【０００９】
様々な例示的な機能について、他の方法やシステムや装置やデバイスや媒体や配置構成等の実施例が本明細書において述べられている。
【発明を実施するための最良の形態】
【００１０】
図１は、発光ダイオードまたは光検出ダイオード１０４の一次元アレイ１０２−１Ｄを有する例示的な表示画面を示す電子装置１００である。一次元アレイ１０２−１Ｄは、例えば、ユーザや操作者や周囲環境全般等に情報を視覚的に伝えるために、発光することのできる電子装置１００用の比較的にフラットな表示画面である。以下にさらに詳しく説明されるように、一次元アレイ１０２−１Ｄは、ユーザや操作者や周囲環境全般などから情報を受け取ることもできる。
【００１１】
電子装置１００は、腕時計または置き時計や、携帯電話や、携帯情報端末（ＰＤＡ）や、パーム形またはポケット形のコンピュータや、ラジオやＤＶＤプレーヤやセットトップ・ボックス等のような娯楽装置や、タブレット・パーソナルコンピュータや、モニタ、掲示板、または広告板等のセパレート表示画面や、注文または在庫管理端末や、ラップトップ・コンピュータ等を含む、表示画面をもつ任意の電子装置でありうる。
【００１２】
図２は、発光ダイオードまたは光検出ダイオード１０４の二次元アレイ１０２−２Ｄを有する例示的な表示画面を示す電子装置１００である。二次元アレイ１０２−２Ｄは、例えば、ユーザや操作者や周囲環境全般などに情報を視覚的に伝え、ユーザや操作者や周囲環境全般などから情報を受け取るために、発光することのできる電子装置１００用の比較的にフラットな表示画面でもある。このように図示されてはいないが、電子装置１００は、一次元アレイ１０２−１Ｄおよび／または二次元アレイ１０２−２Ｄを２つ以上持つことがある。
【００１３】
本明細書に用いられる表示画面（display screen）という語は、あらゆる実施例において、人間が解釈または消費するための表示があることを必ずしも意味するとは限らないものとする。その代わりに、表示画面という語は、特にスキャニング機能を対象とするものなど、いくつかの実施例において、光が、１以上の発光ダイオードまたは光検出ダイオードにより放出されることによって、この画面に一般に表示されることを意味する場合がある。さらに、ある画面には、特にタッチ・センシティブ機能を対象とするものなど、いくつかの実施例において、所与の機能を実現するために、光を表示しない場合がある。さらに、本明細書に述べられるいくつかの実施例が、発光ダイオードまたは光検出ダイオードに圧倒的にフォーカス（focus）するとはいえ、別法として、実施例は、発光素子または光検出素子全般を用いる場合があることに留意されたい。
【００１４】
図３は、図１、図２、図５、図６、図７、図８、図９の表示画面用の例示的なダイオード状態を示す記号解説１０６である。上記のように、個々のダイオード１０４は、発光ダイオードまたは光検出ダイオード１０４（あるいは、さらに一般的には、発光素子または光検出素子）として働くことがある。言い替えれば、それぞれのダイオード１０４は、或る時には発光しており、また別のときには光を検出している。電圧が、（ｉ）ダイオード
１０４に供給されるか、または（ｉｉ）ダイオード１０４に生じて測定されることは、ダ
イオード１０４が、（ｉ）発光しているか、または（ｉｉ）光を検出しているかどうかを
それぞれ判定するものである。したがって、それぞれのダイオード１０４（または、素子全般）は、発光と光検出との両方の観点から、光と相互に作用または光を処理するようになっている。
【００１５】
個々のダイオード１０４は、別法として、発光してもいないし、また検出してもいない非アクティブ状態（inactive state）にあることがある。ダイオード状態の記号１０６は、様々なダイオード状態の図形表現を示している。実線の円は、一般、任意またはドント・ケア（do not care）のダイオード状態１０４にあるダイオードを示している。破線の円は、非アクティブ・ダイオード状態１０８にあるダイオードを示している。星形または発光形の図形は、発光するダイオード状態１１０にあるダイオードを示している。３つの実線同心円は、光を検出するダイオード状態１１２にあるダイオードを示している。
【００１６】
例えば、所与のダイオードが、すぐ近くか、あるいはそれ以外の関係にあるダイオードにより得られている所期の機能、特徴、または結果に悪影響を及ぼすことなく、非アクティブであるか、発光しているか、または光を検出しているときに、この所与のダイオードは、一般の状態、任意の状態、またはドント・ケアの状態１０４にありうる。スキャニング機能と、タッチ・センシティブ機能と、環境光決定または補償機能とを実施するのに表示画面により使用される様々なダイオード状態設定を図示するために、これらの異なるダイオード状態の図形１０４と１０８と１１０と１１２とが、図１と図２と図５と図６と図７と図８と図９とに用いられている。
【００１７】
図４Ａと図４Ｂと図４Ｃとは、ラップトップ・コンピュータ１００Ａと、セパレート表示画面１００Ｂと、カーラジオ１００Ｃとをそれぞれ含む例示的な電子装置１００を示している。ラップトップ・コンピュータ１００Ａとセパレート表示画面１００Ｂとカーラジオ１００Ｃとのそれぞれは、表示画面１０２Ａと表示画面１０２Ｂと表示画面１０２Ｃとを含む。表示画面１０２のそれぞれは、（図４Ａと図４Ｂと図４Ｃには明示されていない）複数の発光ダイオードまたは光検出ダイオード１０４を含む。
【００１８】
図４Ａでは、ラップトップ・コンピュータ１００Ａは、表示画面１０２Ａを用いて実施されることがある例示的なスキャニング機能の説明に使用される例示的な電子装置１００である。スキャンされる文書（または物品（item））を、下側のキーボードすなわちキーボード部分１００ＡＢに載せる。そして、上側すなわち画面部分１００ＡＴを回転させ、完全にまたは部分的に閉じて、表示画面１０２Ａをこの文書に近接させる。表示画面１０２Ａ上において、二次元（または、一次元（１−Ｄ））アレイに配列されている複数の発光／光検出ダイオード１０４は、文書の外観を表わす情報を受け取るために（例えば、テキストや図面や写真等をスキャンして読み込むために）、組織的に発光し、光を検出して、非アクティブになる。スキャニング機能は、ラップトップ・コンピュータ環境以外において実施される場合があることに留意されたい。表示画面１０２Ａに適した例示的なダイオード状態設定は、図５、図６、図７を参照して以下にさらに述べられる。また、関連する方法は、図１２を参照して以下に述べられる。
【００１９】
図４Ｂでは、セパレート表示画面１００Ｂは、表示画面１０２Ｂを用いて実施されることがある例示的なタッチ・センシティブ・スクリーン機能の説明に使用される例示的な電子装置１００である。表示画面１０２Ｂ上において、二次元（または、一次元（１−Ｄ））アレイに配列されている複数の発光ダイオードまたは光検出ダイオード１０４は、ユーザ入力を表わす情報を受け取ってアクチュエータを作動させるために、組織的に発光し、光を検出して、任意選択的に非アクティブになる。例示的なアクチュエータには、スイッチや、スライディング・コントローラや、選択ボタンや、いわゆる「ラジオ・スタイル」のボタン等がある。このような関連するまたは無関係の複数のアクチュエータが単一表示画面１０２Ｂ上に設けられ、これらのアクチュエータを要求されるように画面のあちこちに移すことができる。
【００２０】
本明細書中に用いられるタッチ・センシティブ・スクリーン機能の実施例は、「シミュレートされた（simulated）」タッチ・センシティブ機能（touch-sensitive functionality）をさす。言い替えれば、物理的な圧力または接触を測定することも、決定することも必要としないものである。このようなシミュレートされたタッチ・センシティブ機能、すなわちタッチ・センシティブ機能は、実際のタッチまたは近接を必要としよう。実際のタッチ動作の感知は、例えば、指先などの人間の皮膚により、あるいは、画面に接触するポインティング器具（または、その他の物理的な物）によって、入射光が阻止されることによりなされる。近接の感知は、例えば、入射光を画面に到達させないようにするところまで、人体の一部（human appendage）またはその他の物理的な物が近接することによりなされる。表示画面１０２Ｂに適した例示的なダイオード状態設定は、図８を参照して以下にさらに述べられる。また、関連する方法は、図１３を参照して以下に述べられる。
【００２１】
図４Ｃでは、カーラジオ１００Ｃは、表示画面１０２Ｃを用いて実施されることがある例示的な環境光決定・補償機能の説明に使用される例示的な電子装置１００である。表示画面１０２Ｃ上において、二次元（または、一次元（１−Ｄ））アレイに配列されている複数の発光ダイオードまたは光検出ダイオード１０４は、環境光レベルを表わす情報を受け取り、ダイオード１０４からの発光の輝度量を調整するために、組織的に発光し、光を検出して、任意選択的に非アクティブになる。例えば、上記の複数のダイオード１１２は、現時点の環境光レベルを決定するために、検出状態にありうる。発光状態にあるダイオード１１０から発せられる光の量は、決定された現時点の環境光レベルに応じて調整される。表示画面１０２Ｃに適した例示的なダイオード状態設定は、図９を参照して以下にさらに述べられる。また、関連する方法は、図１４を参照して以下に述べられる。
【００２２】
図５と図６と図７とは、（図４Ａに示されるように）ラップトップ・コンピュータ１００Ａの表示画面１０２Ａのスキャニング機能用の例示的なダイオード状態設定１０２Ａ１と１０２Ａ２と１０２Ａ３とを示している。例示的なダイオード状態設定１０２Ａ１と１０２Ａ２と１０２Ａ３とのそれぞれは、スキャンタイムを最小限に抑えるかまたは少なくとも短くしながら、クロストークの問題を処理する異なる手法を示している。検出ダイオードが、他のダイオードによる干渉のために、ターゲット文書から情報を適正に受け取ることができないときに、有害なクロストークに遭遇することもある。
【００２３】
それぞれの発光ダイオードまたは光検出ダイオードを、別の発光ダイオードまたは光検出ダイオードと結合して、発光ダイオードまたは光検出ダイオード・ペア５０２を形成する。それぞれの発光ダイオードまたは光検出ダイオード・ペア５０２では、一方の発光ダイオードまたは光検出ダイオードは発光状態にあり、他方の発光ダイオードまたは光検出ダイオードは検出状態にある。別法として、双方の発光ダイオードまたは光検出ダイオードは、所与の任意の非アクティブの発光ダイオードまたは光検出ダイオード・ペアにおいても、非アクティブ状態でありうる。
【００２４】
一般に、それぞれのアクティブの発光ダイオードまたは光検出ダイオード・ペア５０２では、ターゲット文書に照射してスキャンする光を作り出すために、一方の発光ダイオードまたは光検出ダイオードが発光している。他方の発光ダイオードまたは光検出ダイオードは、ターゲット文書で反射された光情報を受け取るために光を検出している。組織的な（または、ランダムな）適切な手法に基づいて、それぞれの発光ダイオードまたは光検出ダイオード・ペア５０２の発光ダイオードまたは光検出ダイオードのそれぞれは、交替で発光状態になり、交替で検出状態になる。述べられた実施例では、それぞれの発光ダイオードまたは光検出ダイオード・ペア５０２は、交替でアクティブになり、少なくとも１回交替で非アクティブになる。
【００２５】
ダイオード状態設定１０２Ａ１に対して、行５０４と列５０６が示されている。行５０４は、発光ダイオードまたは光検出ダイオード・ペア５０２用の行だけでなく、個々の発光ダイオードまたは光検出ダイオード用の行もさす。その一方、列５０６は、個々の発光ダイオードまたは光検出ダイオード用の列をさす。列５０８は、発光ダイオードまたは光検出ダイオード・ペア５０２用の列をさす。行と列との用語は相対的であるものとし、個々の発光ダイオードまたは光検出ダイオードは、図示されるように、行ではなく列に沿って、発光ダイオードまたは光検出ダイオード・ペア５０２にまとめられる場合がありうる。
【００２６】
ラップトップ・コンピュータ１００Ａの表示画面１０２Ａを用いて文書をスキャンしようとするときには、１ピクセルずつスキャンすることも１行ずつスキャンすることさえも必要でない。なぜならば、情報を反射光として受け取るために、二次元アレイ全体が利用できるからである。すべてのダイオードを検出状態にして、外部光源が施される場合には、文書全体を同時にスキャンすることができる。しかしながら、発光状態にある他のダイオードから光源が得られるときには、この光源は、最高のダイオード分解能が求められる場合に、１つの文書の一回のスキャンを完了するために、少なくとも２つのフェーズ、および／またはダイオード状態設定を必要とする。
【００２７】
さらに、第１の発光ダイオードまたは光検出ダイオード・ペア５０２の発光ダイオードからの光は、スキャニング情報を適正に受け取るために、隣り合ったまたは近接する第２の発光ダイオードまたは光検出ダイオード・ペア５０２の性能に悪影響を及ぼすことがある。このような起り得るクロストークは、以下に述べられるように、除去されるか、またはフェーズに分けてスキャンすることにより充分に改善される。
【００２８】
図５では、ダイオード状態設定１０２Ａ１は、クロストークを除去しようと努める手法の一例である。それぞれのアクティブの発光ダイオードまたは光検出ダイオード・ペア５０２ではそのすぐ上およびすぐ下にあり、そのすぐ左およびすぐ右にある４つの発光ダイオードまたは光検出ダイオード・ペア５０２は非アクティブとなるようにセットされている。言い替えれば、１つ置きの発光ダイオードまたは光検出ダイオード・ペア５０２は、４つすべての「基本」方向においてアクティブとなり、「チェッカーボード（checkerboard）」構成（configuration）を設ける。
【００２９】
一般に、このようなダイオード状態設定１０２Ａ１では、ターゲット文書をスキャンして読み込むために、４つのステップが必要である。具体的に言えば、第１のステップと第２のステップは、２つのダイオードに発光状態と光検出状態とを交互させる第１の集合の発光ダイオードまたは光検出ダイオード・ペア５０２を必要とする。言い替えれば、それぞれの発光ダイオードまたは光検出ダイオード・ペア５０２の各ダイオードには、他方のダイオードが発光している間に光を検出する機会が与えられ、他方のダイオードが光を検出している間に発光する機会が与えられる。第３のステップと第４のステップは、アクティブである発光ダイオードまたは光検出ダイオード・ペア５０２と、非アクティブである発光ダイオードまたは光検出ダイオード・ペア５０２とを交換することを必要とし、その場合には、それぞれのダイオードが交替に発光状態になり、交替に光検出状態になる。
【００３０】
図６では、ダイオード状態設定１０２Ａ２は、クロストークを除去しようと努める手法の他の例である。２つ置きの発光ダイオードまたは光検出ダイオード・ペア５０２はアクティブであるが、一方、他の発光ダイオードまたは光検出ダイオード・ペア５０２は非アクティブである。言い替えれば、所与の任意のカラム５０８またはロー５０４では、２つ置きの発光ダイオードまたは光検出ダイオード・ペア５０２はアクティブであるが、一方、間に点在する２つの発光ダイオードまたは光検出ダイオード・ペア５０２は非アクティブである。ダイオード状態設定１０２Ａ２では、アクティブの発光ダイオードまたは光検出ダイオード・ペア５０２は、同一の行５０４上にあるが、ただし、これは、以下で図７を参照して述べられるように、事実そうである必要はない。
【００３１】
図７では、ダイオード状態設定１０２Ａ３は、クロストークを除去しようと努める手法の他の例である。所与のどのアクティブ・カラム５０８Ａでも、１つ置きの発光ダイオードまたは光検出ダイオード・ペア５０２はアクティブである。しかしながら、それぞれのアクティブ・カラム５０８Ａ中のアクティブの発光ダイオードまたは光検出ダイオード・ペア５０２は、二番目に近いアクティブ・カラム５０８Ａに対して離れている。２つのもっとも近いアクティブ・カラム５０８Ａは、間にある非アクティブ・カラム５０８Ｉで隔てられている。それゆえ、所与のどの行５０４でも、もっとも近い任意の２つのアクティブの発光ダイオードまたは光検出ダイオード・ペア５０２の間に、３つの非アクティブの発光ダイオードまたは光検出ダイオード・ペア５０２が点在している。その結果、それぞれのアクティブの発光ダイオードまたは光検出ダイオード・ペア５０２は、非アクティブの発光ダイオードまたは光検出ダイオード・ペア５０２の「円」または「正方形」により取り囲まれている。
【００３２】
スキャニング機能を実施する他のダイオード状態設定が、別法として用いられることがある。例えば、図示されて述べられた間隔とは異なる列間隔および行間隔が用いられる。さらに、「厳密な」発光ダイオードまたは光検出ダイオード・ペア５０２の手法の代わりに、複数の発光ダイオードまたは光検出ダイオードが、発光状態に入る。そして、発光ダイオードを取り巻く８つの発光ダイオードまたは光検出ダイオードのそれぞれは、ターゲット文書からスキャニング情報を受け取るために、検出ダイオード状態に入る。別法として、それぞれの検出ダイオードでは、その検出ダイオードを取り巻く８つのダイオードが、組織的に発光状態に入り、それにより、この検出ダイオードが、８つの光レベルの読み取りができるようにする。これらの８つの光レベルの読み取りを平均して、このスキャンされた結果のそれぞれのピクセルに用いられる最終光レベル値を決定する。代わりに、４つの発光ダイオードが、それらのダイオードに基づく平均値で用いられるか、または、８つの取り巻くダイオードが同時に発光して、中心の検出ダイオードが、１つの光レベルの読み取りができるようにする。
【００３３】
スキャニング機能を実行するファームウェア、ソフトウェア、または他の命令が、任意の１つ以上の上記ダイオード状態設定を実施するように変更されることがある。どちらの特定のダイオード状態設定が好ましいか（例えば、どれが、許容できるクロストーク・レベルにより最速のスキャンを可能にするか）は、所望の解像度や、表示画面１０２Ａとターゲット文書との間隔や、隣り合った発光ダイオードまたは光検出ダイオードの物理的な間隔や、発光ダイオードまたは光検出ダイオードの精度や、スキャニング・プログラミング（アルゴリズム）の補間能力等のいくつかのファクタによって決まる。
【００３４】
図８は、（図４Ｂに示されるように）セパレート表示画面１００Ｂのタッチ・センシティブ機能用の例示的なダイオード状態設定１０２Ｂを示している。４つのタッチ・センシティブ・アクチュエータ５１０が図示されている。アクチュエータ５１０は、検出状態にある１つ以上の発光ダイオードもしくは光検出ダイオードに入射する光の排除、または少なくとも減少を実際に検出することにより、「タッチを検出する」。上記の通り、このようなタッチ・センシティブ機能の実施例によって、タッチ・センシティブ機能をシミュレートすることができる。
【００３５】
検出状態にある発光ダイオードまたは光検出ダイオードは、初めに、任意選択的に使用中定期的に、環境光レベルを決定する。この環境光レベルは、表示画面１０２Ｂ全体や、表示画面１０２Ｂの領域またはブロックや、アクチュエータ５１０に対応するエリアや、これらの何らかの組合せ等に対して決定されることがある。そして、アクチュエータ５１０の上記エリア内において、検出された光レベルがこの環境光レベルよりも下がる場合には、アクチュエータ５１０はユーザ入力を受け取ったと見なされるので、アクチュエータ５１０を作動させる。このように、現時点の検出された光レベルと、或るしきい値だけ下げられる環境光レベルとを比較して、ランダムに、突然に、および／または、動いている影などを明らかにする場合がある。さらに、このような比較は、或る時点における或る（例えば、環境）光レベルから、すぐ後に続く時点等の後続時点における、それよりも低い異なる光レベルへの変化の検出として、単に実施されるかまたは考慮されうる。
【００３６】
４つのアクチュエータ５１０が図示されているが、ダイオード状態設定１０２Ｂは、４つよりも多いか、または少ないアクチュエータを含みうる。さらに、アクチュエータ５１０のそれぞれは、８つから９つの発光ダイオードまたは光検出ダイオードを含むものとして図示されているが、実際には、これらのアクチュエータがこのようなダイオードを含む数は、上記の数よりも多いかまたは少ない。実際、アクチュエータ５１０は、指、ペン、または他のポインティング・デバイスに適した解像度を可能にするために、通常、何十、何百、または、それ以上のダイオードを含むことになる。これらの発光ダイオードまたは光検出ダイオードは、タッチ場所の融通性と不正確をいくらか受け入れるように、セットアップされることもある。
【００３７】
表示画面１０２Ｂのアクチュエータ５１０（１）の領域は、図示されるものとは異なる割合の発光ダイオートと検出ダイオードとを含むか、または、全部が検出ダイオードから成ることさえあることにも留意されたい。アクチュエータ５１０（２）は、多くの可能な代替アクチュエータのうち、他の代替アクチュエータを示している。具体的に言えば、アクチュエータ５１０（２）は、一般ダイオードおよび非アクティブ・ダイオードと検出ダイオードとを組み合わせているアクチュエータ５１０を示している。他の組合せも可能である。
【００３８】
アクチュエータ５１０は、タッチを介して作動する任意のタイプのスイッチ、ボタン、または他のコントロールを表わすことがある。アクチュエータ５１０の例として、フリッパブル・スイッチ（flippable switch）や、トグルスイッチや、スライド可能なスイッチや、「ＯＫ」／「キャンセル」ボタンや、ラジオ・スタイルのボタンや、選択ボタンや、キーパッド／キーボードや、カーソルまたはそれに類するポインティング・アイコンすなわち画面位置標識としてマウスもしくはトラックボールもしくはダイヤル等からの入力や、メニューバーまたはメニューバー上の項目の選択を模倣する移動方向もしくは距離もしくは速度感知エリア等がある。表示画面１０２Ｂのタッチ・センシティブ機能を実行する命令は、単に、様々な「タッチ」および移動を検出して分析するようにすることしか必要としない。同様に、アクチュエータ５１０の構成ダイオードも、このような「タッチ」および移動を感知するように構成されうる。これらの構成ダイオードはまた、ダイオードを選択的に発光状態で作動させることにより、アクチュエータ５１０の存在およびタイプの指示を視覚的に表示するように構成される。
【００３９】
表示画面１０２Ｂのタッチ・センシティブ機能を実行する命令は、誤った「タッチ」および／または偶然の「タッチ」を受け付けないようにできる。アクチュエータ５１０の、検出状態にある１つ以上の発光ダイオードまたは光検出ダイオードにおける光変化検出により、タッチが検出されるときには、これらの命令は、このタッチが意図されたものであることを確実なものにできる。例えば、表示画面１０２Ｂの大部分または全部が、光の減少を同時に検出した場合には、周囲照明環境の変化として認定して、「タッチ」ではないと判断する。さらに、検出状態にある多数の発光ダイオードまたは光検出ダイオードが、近くではあるが、関連アクチュエータ５１０の範囲の外にある検出された光の減少を検出する場合には、この「タッチ」を、表示画面１０２Ｂへの偶然の接触として却下することができる。
【００４０】
図９は、カーラジオ１００Ｃの表示画面の環境光決定・補償機能用の例示的なダイオード状態設定１０２Ｃを示している。このようなダイオード・アレイの１つ以上の発光ダイオードまたは光検出ダイオードを作動させて、検出状態にする。検出状態で作動するこれらの発光ダイオードまたは光検出ダイオードは、表示画面またはダイオード状態設定１０２Ｃ上のどこにでも置かれてもよい。これらの発光ダイオードまたは光検出ダイオードは、いくつあってもよく、表示画面１０２Ｃの全域にどのように配置してもよい。表示画面１０２Ｃは、図示された数よりも多い（または、少ない）発光ダイオードまたは光検出ダイオードを含みうることに留意されたい。
【００４１】
この図示され説明された実施例において、例示的なダイオード状態設定１０２Ｃは、表示画面１０２Ｃのへりに沿ってあり、表示画面１０２Ｃの内側エリアの全域に「Ｘ」パターンをなしている、検出状態にある発光ダイオードまたは光検出ダイオードを含む。別法として、毎ｎ番目の発光ダイオードまたは光検出ダイオードを作動させて、検出状態にし、環境光レベルを決定するタスクをそれらのダイオードに割り当てることができる。他の可能な設定には、表示画面１０２Ｃ上の様々な場所に、所定の数のピクセルの環境光レベル決定ゾーンを設けることや、検出状態にある発光ダイオードまたは光検出ダイオードをランダムに配置すること等がある。さらに、或るときには環境光レベル決定のために検出状態にある発光ダイオードまたは光検出ダイオードは、別のときには、他の状態（例えば、発光状態）にありうる。
【００４２】
環境光レベルが決定された後に、その環境光レベルを、（１つ以上の）所定のしきい値と比較する。（図９には、具体的に示されてない）発光状態にある発光ダイオードまたは光検出ダイオードに適した対応する光量出力に、それぞれの決定された環境光レベルを対応づけることがある。その後、発光状態にある発光ダイオードまたは光検出ダイオード（例えば、図示されるように、発光ダイオードまたは光検出ダイオードの全部または一部）に、適切な光量に対応する光度で発光するように指示する。
【００４３】
したがって、（例えば、この環境光レベルの前の値も含め、所定のしきい値との比較により確かめられるように）この決定された環境光レベルが上がる場合には、発光ダイオードで出力される光量を増やして、この上げられた環境光レベルを補償すれば、表示された画像が見えにくくなること（ウォッシュアウト）を避けることができる。同様に、この決定された環境光レベルが下がる場合には、発光ダイオードで出力される光量を減らして、この下げられた環境光レベルを補償すれば、この表示された画像の過度のぎらつきをなくすようにすることができる。
【００４４】
述べられた他の実施例では、環境光決定・補償は、表示画面１０２Ｃの一部のみを横切って行われ、および／または、表示画面１０２Ｃの全域で１単位ずつ行われることがある。したがって、表示画面１０２Ｃは、所与の任意サイズのブロックへと分けられて、１ブロックずつ、決定および補償を行う。例えば、この分析細分性は、平行インチのブロック、平行センチメートルのブロック、ダイオード・ペアのレベル、または、他の何らかのサイズにより達成される。その結果、日光（streak of sun light）が表示画面１０２Ｃの一部にあたる場合には、この表示画面の該当部分だけが輝かされる。
【００４５】
スキャニングとタッチ感知と環境光決定・補償との機能は、本明細書に明確に述べられるもの以外に、無数の仕方により実施され、および／または、組み合わされることがある。例えば、具体的に述べられたものとは異なる機能が、他の電子装置上において実施される。言い替えれば、例示としてのみ、環境光決定・補償は、掲示板や広告板などとして用いられているセパレート表示画面上において実施される。別の例として、単一の電子装置は、述べられた機能を２つ以上持つ。言い替えれば、例示としてのみ、ラップトップ・コンピュータは、文書をスキャンできるようになり、その表示画面を介してタッチ感知機能を行えるようになることがある。
【００４６】
図１０は、電子装置１００であって、発光ダイオードまたは光検出ダイオード（もしくは、発光素子または光検出素子全般）のアレイ１０２を少なくとも１つ含む、その例示的な構成要素を示している。アレイ１０２は、（例えば、視覚的に情報を表示して）発光でき、光情報を検出できる画面（例えば、表示画面）の少なくとも一部を含む。電子装置１００は、少なくとも１つのアレイ・ドライバ６０２と、１つ以上のプロセッサ６０４と、１つ以上のメモリ６０８と、任意選択的に他の（１つ以上の）構成要素６０６とを含む。メモリ６０８は、命令６１０と、任意選択的に他の情報６１２とを含む。
【００４７】
メモリ６０８の命令６１０は、プロセッサ６０４により実行されることがある電子的に実行可能な命令を含む。命令６１０という電子的に実行可能な命令は、スキャニングと、タッチ・スクリーン感知と、環境光決定・補償との機能の１つ以上を、アレイ１０２を用いて実施できるようにする命令を含む。これらの機能は、上に述べられ、図１１〜図１４の流れ図を参照して以下にさらに述べられる。
【００４８】
一般に、プロセッサ６０４は、様々な命令を処理して、電子装置１００の動作を制御し、任意選択的に他の電子装置とやり取りする。このような命令の実行により、アレイ・ドライバ６０２は、アレイ１０２のダイオードを駆動して発光状態や検出状態や非アクティブ状態にして、（１つ以上の）所与の機能を実施する。他の構成要素６０６は、電子装置１００に応じて、電子装置１００の他の電気式、機械式、および／または、電気機械式の構成要素を表わしている。例えば、他の構成要素６０６は、キーボードや、ネットワーク・インターフェースや、ノブまたはボタン等を含みうる。
【００４９】
記憶媒体の一例であるメモリ６０８は、ランダムアクセスメモリ（ＲＡＭ）や、フラッシュメモリや、プログラマブル・リードオンリーメモリ（ＰＲＯＭ）や、リードオンリー（非消去）メモリ（ＲＯＭ）や、電気的に書込み可能なリードオンリーメモリ（ＥＰＲＯＭ）や、電気的に書込み・消去可能なリードオンリーメモリ（ＥＥＰＲＯＭ）や、他の何らかの不揮発性（例えば、半導体）メモリ、ハードディスクや、ネットワーク伝送媒体や、光学式または光磁気式のメモリ・フォーマット、フロッピー・ディスクなどの大容量メモリや、それらの何らかの組合せ等として実現できる。これらのメモリ・タイプのいずれも、電子装置１００と一体化されるか、または着脱自在に電子装置１００に結合される。他の情報６１２は、電子装置１００が利用してその機能を実施することがある命令またはデータを含む、他のタイプの情報を表わしている。
【００５０】
発光ダイオードまたは光検出ダイオードを有する表示画面を用いて機能を実施するアプリケーションは、電子的に実行可能な命令との一般的な関連で述べられることがある。一般に、電子的に実行可能な命令は、特定の機能を果たすか、または、特定の抽象データ型を実施するルーチンやプログラムやオブジェクトやコンポーネントやデータ構造等を含む。本明細書に述べられるように、発光ダイオードまたは光検出ダイオードを有する表示画面を用いて機能を実施することが、分散環境においても行われることがある。この分散環境では、影響を受ける画面からリモートであるが、ただし、通信リンクを通じて接続されるなどしてリモートに結合されている構成要素を処理することにより、機能が果たされる。特に、このような分散環境においては、電子的に実行可能な命令は、１つ以上の伝送媒体上にある信号中にあるだけでなく、ローカル記憶媒体とリモート記憶媒体との双方にもありうる。
【００５１】
図１１〜図１４の方法は、複数の方法ブロックに分けられた流れ図に示されている。しかしながら、この方法を記述する順序を、限定するものと見なす意図はない。発光ダイオードまたは光検出ダイオードを有する表示画面を用いて機能を実施する１つ以上の方法を実行するために、これらの述べられた方法ブロックを、いくつでも、任意の順序で組み合わせることができる。（１つ以上の）任意の方法ブロック用の処置は、（１つ以上の）他の任意の方法ブロックの処置と同時に、完全に、または一部に行われることもある。さらに、図１１〜図１４の方法が、電子装置１００と図３〜図９（適用できる場合）とを参照して以下に述べられるが、これらの方法は、任意の適切なハードウェア、ソフトウェア、ファームウェア、またはそれらを組み合わせたものであり、（１つ以上の）任意の適切なダイオード状態設定を用いて実施することができる。
【００５２】
図１１は、発光ダイオードまたは光検出ダイオードを有する表示画面を利用した例示的な方法を示す流れ図１１００である。電子装置１００の表示画面１０２を利用した上述の機能（例えば、スキャニングやタッチ・スクリーン感知や環境光決定・補償など）はいずれも流れ図１１００の方法により実施されることがある。
【００５３】
ブロック７０２において、表示画面のダイオード・アレイを、第１の発光または光検出設定により作動させる。ブロック７０４において、表示画面のダイオード・アレイを、第２の発光または光検出設定により作動させる。このダイオード・アレイは、少なくとも一部の、発光ダイオードまたは光検出ダイオード１０４を含む。例えば、第１の発光または光検出設定は、発光ダイオードまたは光検出ダイオード・ペア５０２の第１の集合の作動に対応するが、一方、第２の発光または光検出設定は、さらに完全に、および／または正確に文章をスキャンするために、発光ダイオードまたは光検出ダイオード・ペア５０２の第１の集合の発光・光検出切替え状態、および／または、異なる段階における発光ダイオードまたは光検出ダイオード・ペア５０２の第２の集合の作動に対応するようにできる。したがって、このような発光または光検出設定を介して収集された任意の検出された光データを処理して、電子装置１００用の機能を実施する。
【００５４】
別の例として、第１の発光または光検出設定は、アクチュエータ５１０の第１の集合の表示に対応するが、一方、第２の発光または光検出設定は、アクチュエータ５１０の第１の集合の作動と、その作動の視覚的確認、および／または、アクチュエータ５１０の第２の集合の表示に対応し、それにより、表示画面１０２にタッチ・スクリーン感知機能を行うことがある。さらに、第１の発光または光検出設定は、発光ダイオード１１０と検出ダイオード１１２との第１のレイアウトに対応するが、一方、第２の発光または光検出設定は、表示画面１０２に対して環境光決定・補償を実施するために、発光ダイオード１１０のうちの１個以上の光度変化、および／または、発光ダイオード１１０と検出ダイオード１１２との第２のレイアウトに対応することがある。
【００５５】
図１２は、発光または光検出ダイオード１０４を有する表示画面１０２を用いて、スキャニング機能を実現するための例示的な方法を示す流れ図８００Ａである。このスキャニング機能は、メニュー・オプションにより（例えば、任意選択的に、ラップトップ・コンピュータ１００Ａの上側すなわち画面部分１００ＡＴを閉じることと連動して）、ラップトップ・コンピュータ１００Ａまたは他の電子装置１００上の専用スキャンボタンを押すことなどにより、作動することがある。ブロック８０２において、ダイオード・ペアの第１の集合の複数のダイオードを作動させて、発光させる。このダイオード・ペアの第１の集合は、図５〜図７を参照して上に述べられるものを含め、起り得るクロストークを補償する任意のダイオード状態設定に対応することがある。ブロック８０４において、ダイオード・ペアの第１の集合の複数のダイオードを作動させて、光を検出する。この検出された光は、処理前のスキャンされた画像データを表わしている。
【００５６】
ブロック８０６において、ダイオード・ペアの第１の集合から検出された光を記録する。例えば、この検出された光データは、（例えば、他の情報６１２の一部として）メモリ６０８に格納されることがある。ブロック８０２とブロック８０４での処理は、第１のスキャニングステップに対応する。第２のステップは、発光している複数のダイオードと、検出している複数のダイオードとを切り替えることを必要とする。このような第２のステップの検出された光データも、ブロック８０６の処理として記録される。
【００５７】
ブロック８０８において、ダイオード・ペアの第２の集合の複数ダイオードを作動させて、発光させる。このダイオード・ペアの第２の集合は、図５〜図７を参照して上に述べられるものを含め、起り得るクロストークを補償し、ダイオード・ペアの第１の集合とは異なる任意のダイオード状態設定に対応することがある。例えば、「チェッカーボード」ダイオード状態設定が利用される場合には、ダイオード・ペアの第１の集合は「黒」マスのすべてに対応し、第２の集合は「赤」マスのすべてに対応する。ブロック８１０において、ダイオード・ペアの第２の集合の複数ダイオードを作動させて、光を検出する。この検出された光は、処理前のスキャンされた追加画像データを表わしている。
【００５８】
ブロック８１２において、ダイオード・ペアの第２の集合から検出された光を記録する。例えば、この（追加の）検出された光データも、メモリ６０８に格納されることがある。例えば、ブロック８０２とブロック８０４の処理が第１のスキャニングステップに対応する場合には、ブロック８０８とブロック８１０の処理は、第２のスキャニングステップに対応する。別法として、例えば、第３のスキャニングステップと第４のスキャニングステップが、発光する複数のダイオードと、検出する複数のダイオードとを切り替える必要があり、ブロック８０２およびブロック８０４の処理が第１のスキャニングステップおよび第２のスキャニングステップに対応する場合には、これらのブロック８０８およびブロック８１０の処理は、第３のスキャニングステップおよび第４のスキャニングステップに対応することがある。第２のスキャニングステップ、または、第３のスキャニングステップおよび第４のスキャニングステップの、このような（追加の）検出された光データも、ブロック８１２における処理として記録される。
【００５９】
ブロック８１４において、ダイオード・ペアの複数の集合から検出されて記録された光を組み合わせて、スキャンされた画像を形成する。前処理済みの検出された光データと、追加の検出された光データを組み合わせて、スキャンされた画像を形成する。このスキャンされた画像は、任意選択的に、平均化、補間、または他の任意のスキャン処理アルゴリズムを用いて処理されることがある。流れ図８００Ａでは、ブロック８０２およびブロック８０４の処理は、特に、互いに同時に、完全に、または部分的に行われる。同様に、ブロック８０８とブロック８１０の処理も、同時に、完全に、または部分的に行われる。
【００６０】
図１３は、（例えば、発光ダイオードまたは光検出ダイオード１０４を有する表示画面１０２の）画面を用いて、タッチ・センシティブ機能を実施する例示的な方法を示す流れ図８００Ｂである。ブロック８１６において、複数のダイオードを作動させて、発光させる。これは、表示画面１０２上に視覚的にアクチュエータ５１０を表示させるように、ダイオード１１０を作動させることを含みうる任意選択的の処理である。ブロック８１８において、複数のダイオードを作動させて、光を検出する。ブロック８１６およびブロック８１８の処理も、特に、互いに同時に、完全に、または部分的に行われることがある。検出ダイオード１１２は、以下のように、「スクリーン・タッチ（screen touch）」を検出することができる。
【００６１】
ブロック８２０において、この検出された光をモニタする。例えば、現時点および／または平均の環境光レベルは、本質的にいつも、または、ときどき繰り返して検出されることがある。ブロック８２２において、この検出された光が、表示画面の一部にわたって変化したかどうか判定する。例えば、表示画面１０２の残りの部分が、比較的に一定の光レベルを受け続けている間に、アクチュエータ５１０にて、任意選択的にアクチュエータ５１０の周りにおいて、検出された光レベルが下がっているかどうか判定する。
【００６２】
ブロック８２４において、この画面のうち、検出された光レベルが変化したと判定される部分に応じて、ユーザ入力を受け入れる。言い替えれば、表示画面１０２の１エリアが、関連ユーザ入力機能を持つアクチュエータ５１０に指定されるときには、このエリア内で検出ダイオード１１２により検出された光のレベルが下がると、アクチュエータ５１０が作動し、それによって、その関連ユーザ入力機能が始動および／または終了する。
【００６３】
図１４は、発光ダイオードまたは光検出ダイオード１０４を有する表示画面１０２を用いて、環境光決定・補償機能を実施する例示的な方法を示す流れ図８００Ｃである。この方法を実施すると、表示画面１０２上に表示された情報は、明るい光のもとで「ウォッシュアウト」してしまうようになるか、あるいは、弱い光の中で「ぎらつく（glaring）」、すなわち気を散らすようになる可能性が低くなることもある。ブロック８２６において、複数のダイオードを作動させて、ある量の光を発光させる。これらのダイオードの全部または一部はまた、発光ダイオードまたは光検出ダイオード１０４として光を検出できることもある。
【００６４】
ブロック８２８において、複数のダイオードを作動させて、光を検出する。これらのダイオードは、表示画面１０２の全域に一様に配置されることを含め、上で図９を参照して述べられるように、表示画面１０２上のどこに置いてもよい。これらのダイオードは、ブロック８２８のステップに対応して、ある一瞬おいて光を検出しており、また、別の瞬間には、ブロック８２６のステップに対応してある量の光を出すことがある。また、複数のダイオードの少なくとも一部が異なる場合には、ブロック８２６のステップおよびブロック８２８のステップは、特に、完全または部分的に互いに同時に行われうる。
【００６５】
ブロック８３０において、この検出された光から、環境光レベルを決定できる。この環境光レベルは、表示画面１０２の全体に対して同一レベルであるか、または、表示画面１０２のそれぞれの粒状部分に対しては、別々に決定される。また、この環境光レベルは、それぞれの所与の関係時点において光を検出することにより、２つ以上の関係時点にわたって検出された光を一時的に平均することにより、定められた粒状部分内または２つ以上の粒状部分を横切って複数の検出ダイオード１１２に関して空間的に平均すること等により、決定される。
【００６６】
ブロック８３２において、複数の発光ダイオードにより発せられる光の量を、この決定された環境光レベルに応じて調整する。発せられる光の量を調整して、「ウォッシュアウト」および悩まされる「ぎらつき」を避けるか、最小限に抑えるか、または、少なくとも減らそうと努める。特に図４Ｃと図９を参照して上に述べられるように、ブロック８２６〜ブロック８３２の処置のうちのいずれも、または全部を、任意の所望の粒状レベルで行うことがある。それゆえ、例示としてのみ、（ブロック８３２の）発せられる光の量の調整は、（ブロック８３０の）環境光レベルの決定を行った付近で行われる。
【００６７】
例えば、ブロック８３２Ｒにおいて、この決定された環境光レベルが、所定のしきい値よりも大きい場合には、発せられる光の量を上げるか増加する。この所定のしきい値は、恒久的に工場においてプリセットされるか、またはユーザにより調整できてもよい。ブロック８３２Ｌにおいて、この決定された環境光レベルが、所定のしきい値よりも小さい場合には、発せられる光の量を下げるか減らす。これらの所定のしきい値は、（例えば、ただ１つのしきい値であるように）同じであるか、または異なる場合がある。一実施例において、複数のしきい値と光量が利用されるときには、この実施例は、決定された環境光レベルに発光量を対応づけるものと見なされる。
【００６８】
装置と方法とシステムと配置構成との１以上の実施例が、添付図面に示され、上述の「詳細な説明」に述べられてきたが、本発明は、明確に開示された１以上の実施例には限定されず、添付の特許請求の範囲により定義され、述べられた精神および範囲から逸脱することなく、多数の再配置や変更や取替え等が可能である。
【００６９】
図面では、様々な図１〜図１４の同じ、および／または、対応する特徴、面、構成要素には、同じ数字が用いられる。
【図面の簡単な説明】
【００７０】
【図１】発光ダイオードまたは光検出ダイオードの一次元アレイを有する例示的な表示画面を示す電子装置の概略図である。
【図２】発光ダイオードまたは光検出ダイオードの二次元アレイを有する例示的な表示画面を示す電子装置の概略図である。
【図３】図１、図２、図５、図６、図７、図８、図９の表示画面用の例示的なダイオード状態を示す記号の解説図である。
【図４】Ａ〜Ｃは、ラップトップ・コンピュータ、セパレート表示画面、カーラジオをそれぞれ含む例示的な電子装置の概略図である。
【図５】ラップトップ表示画面のスキャニング機能用の例示的なダイオード状態設定を示す概略図である。
【図６】ラップトップ表示画面のスキャニング機能用の例示的なダイオード状態設定を示す概略図である。
【図７】ラップトップ表示画面のスキャニング機能用の例示的なダイオード状態設定を示す概略図である。
【図８】セパレート表示画面のタッチ・センシティブ機能用の例示的なダイオード状態設定を示す概略図である。
【図９】カーラジオ表示画面の環境光決定・補償機能用の例示的なダイオード状態設定を示す概略図である。
【図１０】電子装置であって、発光ダイオードまたは光検出ダイオード・アレイを含む、その例示的な構成要素を示す概略図である。
【図１１】発光ダイオードまたは光検出ダイオードを有する表示画面を利用する例示的な方法を示す流れ図である。
【図１２】発光ダイオードまたは光検出ダイオードを有する表示画面を用いて、スキャニング機能を実施する例示的な方法を示す流れ図である。
【図１３】（例えば、発光ダイオードまたは光検出ダイオードを有する表示画面などの）画面を用いて、タッチ・センシティブ機能を実施する例示的な方法を示す流れ図である。
【図１４】発光ダイオードまたは光検出ダイオードを有する表示画面を用いて、環境光決定・補償機能を実施する例示的な方法を示す流れ図である。
【符号の説明】
【００７１】
１００  電子装置
１０２  表示画面
６０４  プロセッサ
６０８  メモリ
６１０  電子的に実行可能な命令
【図１】
2004361960.tif 000003
【図２】
2004361960.tif 000004
【図３】
2004361960.tif 000005
【図４】
2004361960.tif 000006
【図５】
2004361960.tif 000007
【図６】
2004361960.tif 000008
【図７】
2004361960.tif 000009
【図８】
2004361960.tif 000010
【図９】
2004361960.tif 000011
【図１０】
2004361960.tif 000012
【図１１】
2004361960.tif 000013
【図１２】
2004361960.tif 000014
【図１３】
2004361960.tif 000015
【図１４】
2004361960.tif 000016